(57)【要約】【課題】  合成樹脂性のトップケースを補強する補強板をシャーシ内に配置するためのビスを１本もしく全て抹消することができ、部品点数を削減できて、コストダウンを図れる。【解決手段】  シャーシ１内にＤＶＤユニット２が配置され、シャーシの上部に合成樹脂性のトップケース５が被せられ、シャーシ内におけるＤＶＤユニットの上部であってトップケースの下側にトップケースを補強するための補強板６が配置され、補強板６の一方は、シャーシの底部から立設されたボス７の上端にビス８で止められ、補強板の他方は、シャーシに設けられた支持孔１ａに挿入されており、補強板の他方側には、下向きに折曲された下向き片６ａと上向きに折曲された上向き片６ｂとが形成され、下向き片がシャーシの内面に当接されると共に上向き片がシャーシの外面に当接されて、補強板の他方がシャーシに係止されることにより、補強板が前記トップケースの下側に配置されるようにした。【選択図】  図１
2008176875.tif 000002
【特許請求の範囲】
【請求項１】
シャーシ内にＤＶＤユニットが配置され、前記シャーシの上部に合成樹脂性のトップケースが被せられ、前記シャーシ内における前記ＤＶＤユニットの上部であって前記トップケースの下側に前記トップケースを補強するための補強板が配置されたＤＶＤプレーヤーにおいて、前記補強板の一方は、前記シャーシの底部から立設されたボスの上端にビスで止められ、前記補強板の他方は、前記シャーシの側壁に設けられた支持孔に挿入されており、この補強板の他方側には、下向きに折曲された下向き片と上向きに折曲された上向き片とが形成され、前記下向き片が前記シャーシの側壁の内面に当接されると共に前記上向き片が前記シャーシの側壁の外面に当接されて、前記補強板の他方が前記シャーシの側壁に係止されることにより、前記補強板が前記トップケースの下側に配置されるように構成したことを特徴とするＤＶＤプレーヤー。
【請求項２】
シャーシ内にＤＶＤユニットが配置され、前記シャーシの上部に合成樹脂性のトップケースが被せられ、前記シャーシ内における前記ＤＶＤユニットの上部であって前記トップケースの下側に前記トップケースを補強するための補強板が配置されたＤＶＤプレーヤーにおいて、前記補強板の一方は前記シャーシの底部から立設されたボスの上端にビスで止められるかもしくは前記シャーシの側壁に形成された支持孔に挿入されていて、前記補強板の他方は前記シャーシの側壁に形成された支持孔に挿入されることにより、前記トップケースの下側に前記補強板が配置されるように構成したことを特徴とするＤＶＤプレーヤー。
【請求項３】
前記補強板は、前記シャーシ側壁の両側に形成された凹溝からなる支持孔に挿入されていて、その両端が下向きに折曲されて下向き片に形成され、この下向き片が前記シャーシの側壁の外面に当接され、前記トップケースの下縁が前記補強板の両端の上面に当接されている請求項２に記載のＤＶＤプレーヤー。
【請求項４】
前記補強板は、その一方が前記シャーシの底部から立設されたボスの上端にビスで止められ、他方が前記シャーシの側壁に形成された支持孔に挿入されており、この補強板には、その他方に前記シャーシの側壁の外面に係止される係止爪が形成されて抜け止めされている請求項２に記載のＤＶＤプレーヤー。
【発明の詳細な説明】
【技術分野】
【０００１】
本発明は、シャーシ内にＤＶＤユニットが配置され、前記シャーシの上部に合成樹脂性のトップケースが被せられ、前記シャーシ内における前記ＤＶＤユニットの上部であって前記トップケースの下側に前記トップケースを補強するための補強板が配置されたＤＶＤプレーヤーに関するものである。
【背景技術】
【０００２】
従来のＤＶＤプレーヤーは、図４に示すように、シャーシ１０１内に、トレーや光ピックアップやスピンドルモータ等が内蔵されたＤＶＤユニット１０２やＡＶ基板１０３等が配置され、シャーシ１０１の上部に合成樹脂性のトップケース１０４が被せられるようになっている。シャーシ１０１内におけるＤＶＤユニット１０２の上部であって、トップケース１０４の下側にトップケース１０４を補強するための補強板１０５が配置され、この補強板１０５は、シャーシ１０１の底部に立設された２本のボス１０６、１０６の上端にビス１０７、１０７で固定されていた。ところが、ビス１０７を２本必要とするために、部品点数が多くなり、コスト高になるという問題があった。
【０００３】
第１の従来技術を図５（ａ）（ｂ）に示す。この従来のディスク式記録再生装置は、図５（ａ）（ｂ）に示すように、偏平な皿状をなすベースユニット２３０上にＤＶＤ用光学ピックアップ２３３、ＤＶＲ用光学ピックアップ２３４、およびディスクの回転駆動部を構成するターンテーブル２４３を搭載し、ベースユニット２３０の両側のピン２３１をチャッキングスライダ２２０のカム溝２２３に挿入した状態でチャッキングスライダ２２０をベースユニット２３０の両側に組込み、両側のチャッキングスライダ２２０を連結板２５０によって連結する。そしてこのような状態でベースユニット２３０を外筐２１０内に上方から挿入し、ピン２３１の先端部を外筐２１０の両側の側板の内側側面に形成されている縦溝２３２内に導入し、ベースユニット２３０に形成されている貫通孔２５２を通してビス２２２を連結板２５０の長孔２２１を挿通して外筐２１０の底部に固着されている袋ナット２５１に螺着する。（例えば、特許文献１参照）。
【０００４】
ところが、これにおいては、連結板２５０を補強板として使用するものではなかった。
【０００５】
第２の従来技術を図６、図７に示す。この従来の記録再生複合装置は、図６、図７に示すように、筐体３０３の内部に、ＶＣＲユニット３０４を左側上部前方に配置し、ＤＶＤユニット３０５を右側上部前方に配置し、ＨＤＤユニット３０６を正面に側面部を向けた横向きにして右側下方後方に筐体底面３０７と間を空けて配置し、ＨＤＤユニット３０６の前端がＤＶＤユニット３０５の後端よりも前方に位置し間を開けて部分的に上下に対向している。更に、ＤＶＤユニット３０５を支持部材３１１でＶＣＲユニット３０４に隣接して取り付けるようにしている。（例えば、特許文献２参照）。
【０００６】
ところが、これにおいては、支持部材３１１はトップケースを補強するものではなかった。
【特許文献１】特開２００３−１０９３７０号公報
【特許文献２】特開２００６−９９９０９号公報
【発明の開示】
【発明が解決しようとする課題】
【０００７】
本発明は、上記従来の問題に鑑みてなされたものであって、合成樹脂性のトップケースを補強する補強板をシャーシ内に配置するためのビスを１本もしく全て抹消することができ、部品点数を削減できて、コストダウンを図れるＤＶＤプレーヤーを提供することを目的としている。
【課題を解決するための手段】
【０００８】
本発明は、上記課題を解決するために提案されたものであって、請求項１に記載の発明は、シャーシ内にＤＶＤユニットが配置され、前記シャーシの上部に合成樹脂性のトップケースが被せられ、前記シャーシ内における前記ＤＶＤユニットの上部であって前記トップケースの下側に前記トップケースを補強するための補強板が配置されたＤＶＤプレーヤーにおいて、前記補強板の一方は、前記シャーシの底部から立設されたボスの上端にビスで止められ、前記補強板の他方は、前記シャーシの側壁に設けられた支持孔に挿入されており、この補強板の他方側には、下向きに折曲された下向き片と上向きに折曲された上向き片とが形成され、前記下向き片が前記シャーシの側壁の内面に当接されると共に前記上向き片が前記シャーシの側壁の外面に当接されて、前記補強板の他方が前記シャーシの側壁に係止されることにより、前記補強板が前記トップケースの下側に配置されるように構成したことを特徴としている。
【０００９】
請求項２に記載の発明は、シャーシ内にＤＶＤユニットが配置され、前記シャーシの上部に合成樹脂性のトップケースが被せられ、前記シャーシ内における前記ＤＶＤユニットの上部であって前記トップケースの下側に前記トップケースを補強するための補強板が配置されたＤＶＤプレーヤーにおいて、前記補強板の一方は前記シャーシの底部から立設されたボスの上端にビスで止められるかもしくは前記シャーシの側壁に形成された支持孔に挿入されていて、前記補強板の他方は前記シャーシの側壁に形成された支持孔に挿入されることにより、前記トップケースの下側に前記補強板が配置されるように構成したことを特徴とするＤＶＤプレーヤー。
【００１０】
請求項３に記載の発明は、請求項２に記載の発明において、前記補強板は、前記シャーシの両側壁に形成された凹溝からなる支持孔に挿入されていて、その両端が下向きに折曲されて下向き片に形成され、この下向き片が前記シャーシの側壁の外面に当接され、前記トップケースの下縁が前記補強板の両端の上面に当接されている。
【００１１】
請求項４に記載の発明は、請求項２に記載の発明において、前記補強板は、その一方が前記シャーシの底部から立設されたボスの上端にビスで止められ、他方が前記シャーシの側壁に形成された支持孔に挿入されており、この補強板には、その他方に前記シャーシ側壁の外面に係止される係止爪が形成されて抜け止めされている。
【発明の効果】
【００１２】
請求項１に記載の発明によれば、補強板の他方側がシャーシの側壁に設けられた支持孔に挿入されているから、ビスは補強板の一方側をシャーシのボスの上端に止めるための一本だけでよいことにより、従来に比べてビスを１本抹消することができ、部品点数を削減することができて、コストダウンを図ることができる。また、補強板の他方がシャーシの側壁に設けられた支持孔に挿入され、この補強板の他方の下向き片と上向き片でシャーシの側壁の内外でシャーシの側壁を挟むように係止しているから、補強板の他方側がシャーシの側壁から抜けないように固定することができる。
【００１３】
請求項２に記載の発明によれば、補強板の一方がシャーシの底部から立設されたボスにビスで止められると共に補強板の他方側がシャーシの側壁の支持孔に挿入されたものでは、従来に比べてビスを１本抹消でき、また、補強板の一方と他方がシャーシの側壁の支持孔に挿入されたものでは、従来に比べてビスを２本抹消できて、部品点数を削減できてコストダウンを図ることができる。
【００１４】
請求項３に記載の発明によれば、シャーシの両側壁の凹溝からなる支持孔に補強板の一方と他方とが挿入されているから、従来に比べてビスを２本抹消することができて、部品点数を削減することができて、コストダウンを図れる。また、補強板はシャーシの両側壁の凹溝からなる支持孔に上側から挿入するだけであるから、補強板の取り付け作業を簡単に行うことができる。更に、補強板の両側に下向き片が設けられている共に、トップケースの下縁が補強板の両端の上面に当接されているから、補強板を抜け止めすることができる。
【００１５】
請求項４に記載の発明によれば、補強板の他方がシャーシの側壁の支持孔に挿入された状態で補強板の他方側の係止爪がシャーシの側壁の外面に係止されるから、従来に比べてビスを１本抹消することができる共に補強板を抜け止めすることができる。
【発明を実施するための最良の形態】
【００１６】
以下、本発明に係るＤＶＤプレーヤーの実施の形態について、図を参照しつつ説明する。
【００１７】
図１は本発明の第１実施形態のＤＶＤプレーヤーを示し、（ａ）はその概略斜視図、（ｂ）はその補強板の他方がシャーシの支持孔に挿入されて係止されている状態の部分縦断面図、（ｃ）はその補強板の他方の端部を示す部分拡大斜視図である。
【００１８】
この第１実施形態のＤＶＤプレーヤーは、図１（ａ）に示すように、シャーシ１の内部に、トレーや光ピックアップやスピンドルモータ等が内蔵されたＤＶＤユニット２が配置されると共にＡＶ基板３等が配置され、ＡＶ基板３にはシャーシ１の外部から挿入されたＡＣコード４の端子が接続されている。また、シャーシ１の上部には合成樹脂性のトップケース５が被せられ、ＤＶＤユニット２とトップケース５の間にトップケース５を補強するための補強板６が配置されている。この補強板６は一方がシャーシ１の底部から立設されたボス７の上端にビス８で止められ、他方がシャーシ１の側壁に形成された支持孔１ａに挿入されている。この補強板６の他方には、図１（ｂ）（ｃ）にも示すように、端部の幅方向両側に下向き片６ａ、６ａが折曲して設けられ、幅方向中央部に上向き片６ｂが設けられている。補強板６の下向き片６ａ、６ａはシャーシ１の側壁の内側に位置され、上向き片６ｂはシャーシ１の側壁の外側に位置して、補強板６の他方は下向き片６ａ、６ａと上向き片６ｂとでシャーシ１を挟むようにして係止されている。
【００１９】
従って、この第１実施形態によれば、補強板６の他方側がシャーシ１の側壁に設けられた支持孔１ａに挿入されているから、ビス８は補強板６の一方側をシャーシ１のボス７の上端に止めるための一本だけでよいことにより、従来に比べてビス８を１本抹消することができ、部品点数を削減することができて、コストダウンを図ることができる。また、補強板６の他方がシャーシ１の側壁に設けられた支持孔１ａに挿入され、この補強板６の他方の下向き片６ａ、６ａと上向き片６ｂでシャーシ１の側壁の内外でシャーシ１の側壁を挟むように係止しているから、補強板６の他方側がシャーシ１の側壁から抜けないように固定することができる。
【００２０】
図２は第２実施敬意のＤＶＤプレーヤーを示し、（ａ）はその概略斜視図、（ｂ）はその補強板の他方がシャーシの支持孔に挿入されて係止されている状態の部分横断面図である。尚、上記した第１実施形態と同一部材、同一箇所には同一符号を付して、その説明を省略する。
【００２１】
この第２実施形態のＤＶＤプレーヤーは、図２（ａ）（ｂ）に示すように、補強板６Ａは、その一方がシャーシ１の底部から立設されたボス７の上端にビス８で止められ、他方がシャーシ１の側壁の支持孔１ａに挿入されている。この補強板６Ａには、その他方にシャーシ１の側壁の外面に係止される係止爪６ｃが形成されて、シャーシ１の側壁に対して抜け止めされている。
【００２２】
従って、この第２実施形態によれば、補強板６Ａの他方がシャーシ１の側壁の支持孔１ａに挿入された状態で補強板６Ａの他方側の係止爪６ｃがシャーシ１の側壁の外面に係止されるから、従来に比べてビス８を１本抹消することができる共に補強板６Ａを抜け止めすることができる。
【００２３】
図３は第３実施形態のＤＶＤプレーヤーを示し、（ａ）はその概略斜視図、（ｂ）はその補強板の両側がシャーシの凹溝からなる支持孔に挿入して係止されてトップケースの下縁が補強板の上面に当接している状態の部分縦断面図、（ｃ）は（ｂ）の状態の部分斜視図である。尚、上記した第１実施形態と同一部材、同一箇所には同一符号付して、その説明を省略する。
【００２４】
この第３実施形態のＤＶＤプレーヤーは、図３（ａ）（ｂ）（ｃ）に示すように、補強板６Ｂが、シャーシ１の両側壁に形成された凹溝からなる支持孔１ｂ、１ｂに挿入されていて、その両端が下向きに折曲されて下向き片６ｄに形成され、この下向き片６ｄがシャーシ１の側壁の外面に当接され、トップケース５の下縁５ａが補強板６Ｂの両端の上面に当接されている。
【００２５】
従って、この第３実施形態によれば、シャーシ１の両側壁の凹溝からなる支持孔１ｂ、１ｂに補強板６Ｂの一方と他方とが挿入されているから、従来に比べてビス８を２本抹消することができて、部品点数を削減することができて、コストダウンを図れる。また、補強板６Ｂはシャーシ１の両側壁の凹溝からなる支持孔１ｂ、１ｂに上側から挿入するだけであるから、補強板６Ｂの取り付け作業を簡単に行うことができる。更に、補強板６Ｂの両側に下向き片６ｄが設けられている共に、トップケース５の下縁５ａが補強板６Ｂの両端の上面に当接されているから、補強板６Ｂを抜け止めすることができる。
【図面の簡単な説明】
【００２６】
【図１】本発明の第１実施形態のＤＶＤプレーヤーを示し、（ａ）はその概略斜視図、（ｂ）はその補強板の他方がシャーシの支持孔に挿入されて係止されている状態の部分縦断面図、（ｃ）はその補強板の他方の端部を示す部分拡大斜視図である。
【図２】第２実施敬意のＤＶＤプレーヤーを示し、（ａ）はその概略斜視図、（ｂ）はその補強板の他方がシャーシの支持孔に挿入されて係止されている状態の部分横断面図である。
【図３】第３実施形態のＤＶＤプレーヤーを示し、（ａ）はその概略斜視図、（ｂ）はその補強板の両側がシャーシの凹溝からなる支持孔に挿入して係止されてトップケースの下縁が補強板の上面に当接している状態の部分縦断面図、（ｃ）は（ｂ）の状態の部分斜視図である。
【図４】従来のＤＶＤプレーヤーの概略斜視図である。
【図５】従来のディスク式記録再生装置を示し、（ａ）はその分解斜視図、（ｂ）はその部分斜視図である。
【図６】従来の記録再生複合装置の内部構造を示す正面図である。
【図７】同装置の内部構造を示す平面図である。
【符号の説明】
【００２７】
１        シャーシ
１ａ      支持孔
１ｂ      凹溝からなる支持孔
２        ＤＶＤユニット
３        ＡＶ基板
４        ＡＣコード
５        トップケース
５ａ      下縁
６        補強板
６Ａ      補強板
６Ｂ      補強板
６ａ      下向き片
６ｂ      上向き片
６ｃ      係止爪
６ｄ      下向き片
７        ボス
８        ビス
【図１】
2008176875.tif 000003
【図２】
2008176875.tif 000004
【図３】
2008176875.tif 000005
【図４】
2008176875.tif 000006
【図５】
2008176875.tif 000007
【図６】
2008176875.tif 000008
【図７】
2008176875.tif 000009